(57)【要約】【課題】家庭で容易にもぐさの燻蒸を行うことができる水上浮遊燻蒸もぐさを提供する【解決手段】水上浮遊燻蒸もぐさ１を、洋式便器７内の水上に浮上する円板状に形成された水溶性の浮遊基板２と、この浮遊基板２上に水溶性接着剤３で固定された頂部に点火部５を有する錐形の燻蒸用もぐさ４とで構成し、この水上浮遊燻蒸もぐさ１の燻蒸用もぐさ４に点火してから洋式便器７の水面に浮遊させるか、先に水上浮遊燻蒸もぐさ１を洋式便器７の水面に浮遊させてから燻蒸用もぐさ４に点火し、この状態で使用者が洋式便器７の便座８に腰掛けることにより、臀部を燻蒸する。【選択図】    図３
2005058283.tif 000002
【特許請求の範囲】
【請求項１】
水上に浮遊させて燻蒸する水上浮遊燻蒸もぐさであって、水上に浮遊可能な浮遊基板と、該浮遊基板上に固定された頂部に点火部を有する燻蒸用もぐさとで構成されていることを特徴とする水上浮遊燻蒸もぐさ。
【請求項２】
前記浮遊基板は、平板部の外周縁に短筒状周鍔が形成された有底円筒状に形成されていることを特徴とする請求項１記載の水上浮遊燻蒸もぐさ。
【請求項３】
前記浮遊基板は、水溶性を有し、少なくとも前記燻蒸用もぐさの燃焼を完了するまでの間水上に浮遊するように構成されていることを特徴とする請求項１又は２に記載の水上浮遊燻蒸もぐさ。
【請求項４】
前記浮遊基板は、米、トウモロコシ等の穀物粉末を加熱圧縮して形成されていることを特徴とする請求項３記載の水上浮遊燻蒸もぐさ。
【発明の詳細な説明】
【０００１】
【発明の属する技術分野】
本発明は、臀部等に燻蒸効果及び温熱効果を与える水上浮遊燻蒸もぐさに関する。
【０００２】
【従来の技術】
近来、耐熱性容器にもぐさを収納して点火し、この耐熱性容器を座板に円形孔を開けた椅子の下側に配置してた状態で、マントを纏った使用者が椅子に座ることにより、下半身等を燻蒸することにより、もぐさ成分を浸透させる燻蒸効果及び下半身等を温める温熱効果を発揮するようにした所謂燻蒸エステが広まっている。
【０００３】
【発明が解決しようとする課題】
しかしながら、上記燻蒸エステにおいては、もぐさを燃やす必要があることから所定の耐熱性容器を必要とすると共に、専用の椅子を必要とし、使用備品のコストが嵩むことにより、家庭で手軽にもぐさの燻蒸を行うことができないという未解決の課題がある。
そこで、本発明は、上記従来例の未解決の課題に着目してなされたものであり、家庭で容易にもぐさの燻蒸を行うことができる水面浮上燻蒸もぐさを提供することを目的としている。
【０００４】
【課題を解決するための手段】
上記目的を達成するために、請求項１に係る水上浮遊燻蒸もぐさは、水上に浮遊させて燻蒸する水上浮遊燻蒸もぐさであって、水上に浮遊可能な浮遊基板と、該浮遊基板上に固定された頂部に点火部を有する燻蒸用もぐさとで構成されていることを特徴としている。
この請求項１に係る発明では、浮遊基板を例えば洋式便器内の水面に浮上させた状態で、燻蒸用もぐさの点火部に点火するか又は燻蒸用もぐさの点火部に点火してから浮遊基板を洋式便器の水面に浮上させ、この状態で使用者が洋式便器の座部に腰掛けることにより、洋式便器の内部が封鎖状態となり、洋式便器内の水面より上方部に燻蒸用もぐさで発生する燻蒸成分が溜まり、使用者の臀部に燻蒸効果及び温熱効果を与える。
【０００５】
また、請求項２に係る水上浮遊燻蒸もぐさは、請求項１に係る発明において、前記浮遊基板は、平板部の外周縁に短筒状周鍔が形成された有底筒状に形成されていることを特徴としている。
この請求項２に係る発明では、浮遊基板が有底筒状に形成されているので、短筒状周鍔の外周面を把持して水面上に浮上させることができると共に、燻蒸もぐさに対する水の侵入を防止して、燻蒸もぐさの完全燃焼を確保することができる。
【０００６】
さらに、請求項３に係る水上浮遊もぐさは、請求項１又は請求項２に係る発明において、前記浮遊基板は、水溶性を有し、少なくとも前記燻蒸用もぐさの燃焼を完了するまでの間水上に浮遊するように構成されていることを特徴としている。
この請求項３に係る発明では、浮遊基板が水溶性を有することから、燻蒸用もぐさによる燻蒸が終了したとき又はその前に、洋式便器内の水に溶け出すことにより、使用後の後処理を容易に行うことができると共に、環境を汚染することがない。
【０００７】
さらにまた、請求項４に係る水上浮遊燻蒸もぐさは、前記浮遊基板は、米、トウモロコシ等の穀物粉末を加熱圧縮して形成されていることを特徴としている。
この請求項４に係る発明では、浮遊基板が穀物粉末を加熱圧縮して形成されているので、水と接触することにより徐々に溶解し、最終的に水に完全に溶けることにより、洋式トイレの排水パイプ詰まりを生じることを確実に防止することができる。
【０００８】
【発明の実施の形態】
以下、本発明の実施の形態を図面について説明する。
図１は、本発明の一実施形態を示す斜視図であり、図中、１は水上浮遊燻蒸もぐさであって、洋式トイレ内の水面に浮遊する有底円筒状の浮遊基板２と、この浮遊基板２の底部上面に米糊等の水溶性接着剤３で接着した円錐状の燻蒸用もぐさ４とから構成されている。
ここで、浮遊基板２は、図２に示すように、円形平板部２ａとその外周縁から上方に延長する短円筒状周鍔２ｂとで有底円筒形に構成され、短円筒状周鍔２ｂで囲まれる円形平板部２ａの上面中央部に燻蒸用もぐさ４が固定されている。ここで、浮遊基板２はトウモロコシ等の穀物の粉末を焼き型に挿入して約１５０℃で加熱圧縮することにより形成され、比重が約０．０５、重さが約０．３ｇ、厚みが約１ｍｍで短円筒状周鍔２ｂの外径が約５０ｍｍ、高さが約５ｍｍに設定されている。
【０００９】
また、燻蒸用もぐさ４は、底面の直径が２５ｍｍで、高さが２５ｍｍで、比重０．１５且つ重さが２．０ｇの円錐形に形成され、その頂部に点火部５が形成された構成を有する。この燻蒸用もぐさ４は、点火部５に点火したときに全て燃焼するまでの燃焼時間が８分程度となるように設定されている。この燻蒸用もぐさ４としては燃焼させたときに無臭又は臭いが少ない少臭もぐさを適用することが好ましい。
一方、浮遊基板２は、燻蒸用もぐさ４を固定保持した状態で、水面に浮遊させたときに、少なくとも１０分程度は浮遊状態を確保して、燻蒸用もぐさ４が全て燃焼するまでの間水没することなく、燻蒸用もぐさ４を水面から浮上した状態に保持する。
【００１０】
次に、上記実施形態の動作を説明する。
先ず、図３に示すように、洋式便器７の上面側に開閉自在に配設された便座８とこの便座８の上方に開閉自在に配設された便蓋９を有する水洗トイレ１０の便蓋９のみを開けた状態とする。この状態で、水上浮遊燻蒸もぐさ１を用意し、水洗トイレ１０の近傍の床面等に、燻蒸用もぐさ４を上側として浮遊基板２を置き、燻蒸用もぐさ４の点火部５にライター等で火を付ける。
【００１１】
この点火が完了したら浮遊基板２の短円筒状周鍔２ｂの上端側を手で把持して持ち上げる。この状態では、浮遊基板２の直径が燻蒸用もぐさ４の底面直径の倍の値に設定されていることにより、短円筒状周鍔２ｂの把持位置が燻蒸用もぐさ４の点火位置から離れた位置となり、燃焼熱の影響を受けることなく把持することができる。そして、この状態を保って、水上浮遊もぐさ１を水洗トイレ１０の洋式便器７内の水面上又はこれに近接する位置に移動させてから浮遊基板２から手を放すことにより、浮遊基板２を着水させる。
【００１２】
この状態で、浮遊基板２及び燻蒸用もぐさ４の比重が軽いことから、水上浮遊燻蒸もぐさ１が燻蒸用もぐさ４の点火状態を維持しながら洋式便器７内の水面に浮遊する状態となる。
この状態で、使用者が便座８に腰掛けることにより、洋式便器７の上面が封鎖されることになり、この洋式便器７の水面から上方側に燻蒸用もぐさ４から発生する焼煙が充満することになり、使用者の臀部における肛門やその周辺部位に対して焼煙もぐさ成分を浸透させる燻蒸効果を発揮すると同時に、燻蒸用もぐさ３で発生する熱も洋式便器７内に閉じ込められるので、温熱効果を発揮することができる。
【００１３】
この燻蒸状態で、洋式便器７内の温度が高くなりすぎる場合には、便座８から臀部を浮かして、洋式便器７の封鎖状態を緩めることにより、洋式便器７内にこもる熱を発散させて温度調整することができる。
そして、燻蒸用もぐさ３が燃焼している間は浮遊基板２に水分が徐々に浸透するが、少なくとも燻蒸用もぐさ４の底面が水面に没するがない程度に浮遊状態を維持し、これによって燻蒸用もぐさ４が全て燃焼される。
【００１４】
燻蒸用もぐさ４の燃焼が完了すると、これに応じて洋式便器７内の温度が徐々に低下すると共に、燻蒸煙の発生が停止するので、使用者は温度低下又は燻蒸煙の発生状態から燻蒸の終了を判断すると、洋式便器７から立ち上がり、排水栓を操作して排水を流すことにより、燻蒸用もぐさ４のもえがら燃え殻、水没しかっている浮遊基板２を洗い流す。
【００１５】
このとき、燻蒸用もぐさ４の燃え殻、浮遊基板２及び接着剤３が全て水溶性であり、環境を悪化させる成分を含んでいないので、河川の水質を悪化させることがないと共に、浮遊基板２が穀物の粉末を加熱圧縮して形成されているので、水面を浮遊している状態で水分が浸透して、徐々に溶解され、燻蒸用もぐさ４が燃え尽きるころには全体が軟化しているので、排水時に浮遊基板２が排水パイプに詰まることも確実に防止することができる。
【００１６】
このように、上記実施形態によると、水上浮遊燻蒸もぐさ１の燻蒸用もぐさ４に点火してから水洗トイレ１０の洋式便器７内の水面に浮遊させるだけで、洋式トイレを利用して、使用者の臀部の燻蒸を行うことができ、特別な補助具を必要としないので、家庭でも容易にもぐさの燻蒸を行うことができる。しかも、水上浮遊燻蒸もぐさを水面に浮上させるようにしているので、火災が発生する心配もない。
【００１７】
なお、上記実施形態においては、洋式便器７を利用して燻蒸を行う場合について説明したが、これに限定されるものではなく、バケツ等の水面との間に所要高さを有する容器を使用して燻蒸を行うこともできる。
また、上記実施形態においては、水上浮遊燻蒸もぐさ１を浮遊基板２の短円筒状周鍔２ｂを手で把持して移動させる場合について説明したが、これに限定されるものではなく、浮遊基板２を把持する挟持ハサミ等を使用するようにしてもよい。
【００１８】
さらに、上記実施形態では燻蒸用もぐさ４に点火してから水上浮遊燻蒸もぐさ１を移動させる場合について説明したが、これに限定されるものではなく、水上浮遊燻蒸もぐさ１を水面に浮遊させてから燻蒸用もぐさ４に点火するようにしてもよい。
さらにまた、上記実施形態においては、燻蒸用もぐさ４を円錐形状に形成する場合について説明したが、これに限定されるものではなく、３角錐、４角錐やそれ以上の多角錘形状に形成するようにしてもよい。
【００１９】
また、上記実施形態においては、浮遊基板２を有底円筒状に形成した場合について説明したが、これに限定されるものではなく、４角筒状、６角筒状等の多角筒状とすることもでき、さらには図４に示すように、円形平板１２で構成し、この円形平板１２の外周面の等間隔にとった３点に、紙紐等の水溶性を有する長さ２０ｃｍ程度の吊り下げ紐１３を固定するようにしてもよい。この場合には、吊り下げ紐１３を３本束ねて把持することにより、浮遊基板２を略水平状態として把持して水面まで移動させることができると共に、燻蒸用もぐさ４に点火した状態でその発火温度の影響を弱めて把持することが可能となる。
【００２０】
【発明の効果】
以上説明したように、請求項１に係る発明によれば、浮遊基板を例えば洋式便器内の水面に浮上させた状態で、燻蒸用もぐさの点火部に点火するか又は燻蒸用もぐさの点火部に点火してから浮遊基板を洋式便器の水面に浮上させ、この状態で使用者が洋式便器の座部に腰掛けることにより、洋式便器の内部が封鎖状態となり、洋式便器内の水面より上方部に燻蒸用もぐさで発生する燻蒸成分が溜まり、使用者の臀部に燻蒸効果及び温熱効果を与えることができ、特殊な用具を使用することなく容易に燻蒸させることができるという効果が得られる。
【００２１】
また、請求項２に係る発明は、浮遊基板が有底筒状に形成されているので、短筒状周鍔の外周面を把持して水面上に浮上させることができると共に、燻蒸もぐさに対する水の侵入を防止して、燻蒸もぐさの完全燃焼を確保することができるという効果が得られる。
さらに、請求項３に係る発明は、浮遊基板が水溶性を有することから、燻蒸用もぐさによる燻蒸が終了したとき又はその前に、洋式便器内の水に溶け出すことにより、使用後の後処理を容易に行うことができると共に、環境を汚染することがないという効果が得られる。
さらにまた、請求項４に係る発明は、浮遊基板が穀物粉末を加熱圧縮して形成されているので、水と接触することにより徐々に溶解し、最終的に水に完全に溶けることにより、洋式トイレの排水パイプ詰まりを生じることを確実に防止することができるという効果が得られる。
【図面の簡単な説明】
【図１】本発明の一実施形態を示す斜視図である。
【図２】図１の縦断面図である。
【図３】本発明の動作の説明に供する使用状態を示す断面図である。
【図４】浮遊基板の他の実施形態を示す斜視図である。
【符号の説明】
１  水上浮遊燻蒸もぐさ
２  浮遊基板
２ａ  円形平板部
２ｂ  短円筒状部筒
３  水溶性接着剤
４  燻蒸用もぐさ
５  点火部
７  洋式便器
８  便座
【図１】
2005058283.tif 000003
【図２】
2005058283.tif 000004
【図３】
2005058283.tif 000005
【図４】
2005058283.tif 000006